(57)【要約】【課題】日常のサイト内ページ更新の自動化をはかることで、チャネル増加時のプログラム開発負荷の減少、運用コストの削減を行う。【解決手段】誘導元サイトでリンク情報を指定したユーザのアクセス要求を受信し、有償コンテンツを提供するためのウェブページをユーザへ送信する有償コンテンツ提供サイトにおけるウェブページ構成装置であって、誘導元サイト毎に、サイト固有の情報及びウェブページのレイアウト情報が記録される変換ＴＢＬ３０と、ユーザからのアクセス要求を受信し、誘導元サイトから通知される有償コンテンツ提供サイトのＵＲＬが示す、誘導元サイト、及びウェブページ構成情報に基づき、変換ＴＢＬ３０に記録された情報に基づきウェブページを作成し、要求のあったクライアント端末１に送信するウェブページ構成手段（コンテンツ提供サーバ３）とを備える。【選択図】      図１
2004151971.tif 000002
【特許請求の範囲】
【請求項１】
誘導元サイトを介してリンク情報を指定したユーザのアクセス要求を受信し、有償コンテンツを提供するためのウェブページをユーザへ送信する有償コンテンツ提供サイトにおけるウェブページ構成装置であって、
前記誘導元サイト毎に、サイト固有の情報及び前記ウェブページのレイアウト情報が記録される変換データベースと、
前記誘導元サイトに影響を受けずに前記ウェブページの基本情報となるウェブページ構成情報が記憶されるウェブページ構成情報データベースと、
ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成するウェブページ構成手段と、
前記生成したウェブページを前記ユーザ端末へ送信するウェブページ送信手段と、
を備えたことを特徴とするウェブページ構成装置。
【請求項２】
前記ウェブページ構成手段は、
ユーザからのアクセス要求を受信し、当該アクセス要求が示す有償コンテンツ提供サイトのＵＲＬに含まれたチャネル識別情報に基いて、前記誘導元サイトを特定すること
を特徴とする請求項１に記載のウェブページ構成装置。
【請求項３】
前記ウェブページ構成手段は、
前記ウェブページをそれぞれの誘導元サイト毎に対応してデザイン、掲載情報が固定設定されているスタティックエリアと、誘導元サイトに影響されずに自由にデザインや掲載情報を設定可能なダイナミックエリアに区分して管理し、
前記スタティックエリアに設定されるフレームワークと、ダイナミックエリアのコンテンツを構成するピースをデータベースから抽出し、ページ生成言語に変換してメインエンジン手段に供給するピースメーカと、
前記変換テーブルに記録されるピースの配置位置が設定されたレイアウトに基づき組み合わせて配置するメインエンジン手段と、
を備えたことを特徴とする請求項１または２に記載のウェブページ構成装置。
【請求項４】
前記ウェブページ構成手段は、
前記ウェブページをそれぞれの誘導元サイト毎に対応してデザイン、掲載情報が固定設定されているスタティックエリアと、更新頻度に応じてデザインや掲載情報を設定可能なダイナミックエリアに区分して管理し、
前記スタティックエリアに設定されるフレームワークと、ダイナミックエリアのコンテンツを構成するピースをデータベースから抽出し、ページ生成言語に変換してメインエンジン手段に供給するピースメーカと、
前記変換テーブルに記録されるピースの配置位置が設定されたレイアウトに基づき組み合わせて配置するメインエンジン手段と、
を備えたことを特徴とする請求項１または２に記載のウェブページ構成装置。
【請求項５】
前記ウェブページ構成手段は、
ユーザによってアクセスされる毎にリアルタイムに更新されたピースをデータベースから取得し、あらかじめ用意されるテンプレートのデザインレイアイトに基づきページ作成言語に変換して前記メインエンジン手段に供給するプログラムピース生成エンジン、
を備えたことを特徴とする請求項１または２に記載のウェブページ構成装置。
【請求項６】
誘導元サイトを介してリンク情報を指定したユーザのアクセス要求を受信し、有償コンテンツを提供するためのウェブページをユーザへ送信する有償コンテンツ提供サイトにおけるウェブページ構成方法であって、
ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成し
前記生成したウェブページを前記ユーザ端末へ送信すること、
を特徴とするウェブページ構成方法。
【請求項７】
前記ウェブページをそれぞれの誘導元サイト毎に対応してデザイン、掲載情報が固定設定されているスタティックエリアと、誘導元サイトに影響されずに自由にデザインや掲載情報を設定可能なダイナミックエリアに区分して管理し、
前記スタティックエリアに設定されるフレームワークと、ダイナミックエリアのコンテンツを構成するピースをデータベースから抽出してページ生成言語に変換し、
前記変換テーブルに記録されるピースの配置位置が設定されたレイアウトに基づき組み合わせて配置すること、
を特徴とする請求項６に記載のウェブページ構成方法。
【請求項８】
誘導元サイトを介してリンク情報を指定したユーザのアクセス要求を受信し、有償コンテンツを提供するためのウェブページをユーザへ送信する有償コンテンツ提供サイトにおけるウェブページ構成装置に用いられるウェブページ構成プログラムであって、
ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成するステップと、
前記生成したウェブページを前記ユーザ端末へ送信するステップと、
をコンピュータに実行させるウェブページ構成プログラム。
【発明の詳細な説明】
【０００１】
【発明の属する技術分野】
本発明は、誘導元サイトでリンク情報を指定したユーザのアクセス要求を受信し、有償コンテンツを提供するためのウェブページをユーザへ送信する有償コンテンツ提供サイトのための、ウェブページ構成装置及びその構成プログラムに関する。
【０００２】
【従来の技術】
有償コンテンツ提供者は、ヒット数の多いウェブサイトや提供するコンテンツに関連性のあるウェブサイト等のチャネルサイト（以下、誘導元サイトという）に有償コンテンツ提供サイトへのリンク情報を掲載している。そして、有償コンテンツ提供サイトのサーバは、誘導元サイト上でリンク情報をクリックしたユーザからのアクセスを受け付け、有償コンテンツを提供するウェブページを要求のあったユーザに提供している（特許文献１参照）。
【０００３】
【特許文献１】
国際公開第０１／３３４４５号パンフレット
【０００４】
【発明が解決しようとする課題】
有償コンテンツの売上げ拡大のためには誘導元サイトへの展開を大規模に行い、ユーザ囲い込みのために販路を広げる必要がある。それに伴い、増加したチャネル分のサイトをいかにローコストで運営していくかが課題となる。
現状は、増えたチャネルの数に比例してウェブページの開発及び運用に人的リソースを要するため、チャネル増加時のコスト増大は避けられない状況になっている。
【０００５】
本発明は上記事情に鑑みてなされたものであり、有償コンテンツを提供するウェブページの開発を、更新頻度の異なるウェブページ上の範囲をピース毎に分割し、更新されるピースのみを修正することで開発にかかる負担および運用にかかるリソースの削減をはかった、ウェブページ構成装置及びその構成プログラムを提供することを目的とする。
【０００６】
【課題を解決するための手段】
上記した課題を解決するために本発明は、誘導元サイトを介してリンク情報を指定したユーザのアクセス要求を受信し、有償コンテンツを提供するためのウェブページをユーザへ送信する有償コンテンツ提供サイトにおけるウェブページ構成装置であって、前記誘導元サイト毎に、サイト固有の情報及び前記ウェブページのレイアウト情報が記録される変換データベースと、前記誘導元サイトに影響を受けずに前記ウェブページの基本情報となるウェブページ構成情報が記憶されるウェブページ構成情報データベースと、ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成するウェブページ構成手段と、前記生成したウェブページを前記ユーザ端末へ送信するウェブページ送信手段とを備えたことを特徴とする。
【０００７】
また、本発明において、前記ウェブページ構成手段は、ユーザからのアクセス要求を受信し、当該アクセス要求が示す有償コンテンツ提供サイトのＵＲＬに含まれたチャネル識別情報に基いて、前記誘導元サイトを特定することを特徴とする。
【０００８】
また、本発明において、前記ウェブページ構成手段は、前記ウェブページをそれぞれの誘導元サイト毎に対応してデザイン、掲載情報が固定設定されているスタティックエリアと、誘導元サイトに影響されずに自由にデザインや掲載情報を設定可能なダイナミックエリアに区分して管理し、前記スタティックエリアに設定されるフレームワークと、ダイナミックエリアのコンテンツを構成するピースをデータベースから抽出し、ページ生成言語に変換してメインエンジン手段に供給するピースメーカと、前記変換テーブルに記録されるピースの配置位置が設定されたレイアウトに基づき組み合わせて配置するメインエンジン手段と、を備えたことを特徴とする。
【０００９】
また、本発明において、前記ウェブページ構成手段は、前記ウェブページをそれぞれの誘導元サイト毎に対応してデザイン、掲載情報が固定設定されているスタティックエリアと、更新頻度に応じてデザインや掲載情報を設定可能なダイナミックエリアに区分して管理し、前記スタティックエリアに設定されるフレームワークと、ダイナミックエリアのコンテンツを構成するピースをデータベースから抽出し、ページ生成言語に変換してメインエンジン手段に供給するピースメーカと、前記変換テーブルに記録されるピースの配置位置が設定されたレイアウトに基づき組み合わせて配置するメインエンジン手段と、を備えたことを特徴とする。
【００１０】
また、本発明において、前記ウェブページ構成手段は、ユーザによってアクセスされる毎にリアルタイムに更新されたピースをデータベースから取得し、あらかじめ用意されるテンプレートのデザインレイアイトに基づきページ作成言語に変換して前記メインエンジン手段に供給するプログラムピース生成エンジン、を備えたことを特徴とする。
【００１１】
上記した課題を解決するために本発明は、誘導元サイトを介してリンク情報を指定したユーザのアクセス要求を受信し、有償コンテンツを提供するためのウェブページをユーザへ送信する有償コンテンツ提供サイトにおけるウェブページ構成方法であって、ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成し前記生成したウェブページを前記ユーザ端末へ送信することを特徴とする。
【００１２】
また、本発明において、前記ウェブページをそれぞれの誘導元サイト毎に対応してデザイン、掲載情報が固定設定されているスタティックエリアと、誘導元サイトに影響されずに自由にデザインや掲載情報を設定可能なダイナミックエリアに区分して管理し、前記スタティックエリアに設定されるフレームワークと、ダイナミックエリアのコンテンツを構成するピースをデータベースから抽出してページ生成言語に変換し、前記変換テーブルに記録されるピースの配置位置が設定されたレイアウトに基づき組み合わせて配置すること、を特徴とする。
【００１３】
上記した課題を解決するために本発明は、誘導元サイトを介してリンク情報を指定したユーザのアクセス要求を受信し、有償コンテンツを提供するためのウェブページをユーザへ送信する有償コンテンツ提供サイトにおけるウェブページ構成装置に用いられるウェブページ構成プログラムであって、ユーザ端末からのアクセス要求の受信に基づいて、ユーザを誘導した誘導元サイトを確認し、前記誘導元サイトに対応するサイト固有の情報、ウェブページのレイアウト情報を前記変換データベースから抽出し、ユーザ端末からアクセス請求されたウェブページの基本情報をウェブページ構成情報データベースから抽出し、前記ウェブページのレイアウト情報を基に前記サイト固有の情報およびウェブページ基本情報を配置することによりウェブページを生成するステップと、前記生成したウェブページを前記ユーザ端末へ送信するステップと、をコンピュータに実行させることを特徴とする。
【００１４】
【発明の実施の形態】
図１は、本発明のウェブページ構成装置の接続構成、並びに概略動作を説明するために引用した図である。
図１において、１は、ウェブブラウザが内蔵されるクライアント端末であり、ＩＰ（Ｉｎｔｅｒｎｅｔ・Ｐｒｏｔｏｃｏｌ）網４を介して複数の誘導元サイトが持つそれぞれのチャネルサーバ２と、有償コンテンツ提供サイトが持つコンテンツ提供サーバ３に接続される。
【００１５】
有償コンテンツ提供者は、ヒット数の多い、あるいは提供コンテンツに関連性のある誘導元サイトに有償コンテンツ提供サイトへのリンク情報を掲載しているものとする。従って、コンテンツ提供サーバ３は、誘導元サイト上でリンク情報をクリックしたユーザからのアクセスを受付けて、有償コンテンツを提供するウェブページをユーザが持つクライアント端末１に提供する。本発明のウェブページ構成装置は、有償コンテンツ提供サイトが持つコンテンツ提供サーバ３に実装される。
【００１６】
図５は、本発明により作成されるウェブページの構成を説明するために引用した図である。
ウェブページは、誘導元サイト特有のヘッダやフッタ部分のスタテックなエリアに配置される「サイトフレームワーク（骨格）」部分と、有償コンテンツ提供サイト内で自由にデザイン可能でダイナミックなエリアに配置される「ピース（断片）」部分で構成される。
サイトフレームワークは、ユーザが有償コンテンツ提供サイトへのアクセスに利用したＵＲＬから、コンテンツ提供サーバ３に実装されるウェブページ構成装置のウェブページ構成プログラムが判断してユーザに提供するウェブページに特有のサイトフレームワークを提供する。
【００１７】
本発明実施形態において、「ピース」は、ダイナミックエリアを構成するものとし、以下に説明する。なお、スタティックエリアに設定されるサイトフレームも「ピース」によりに設定されることがある。
本発明における「ピース」とは、ページを構成するコンテンツから成り、例えば、ページが文書、写真、図形等のコンテンツから構成されている場合に、上記した文書、写真、図形のコンテンツ自体を示すものとする。但し、ピースは、ハコンテンツのみでなく、ページを構成するようにページに表示される全てのものを含む。例えば、図５に示されるように、「ピース」は、固定のＳＰの他に、月１回、あるいは週に１回、日に１回の更新頻度を持つもの（ＤＰ：ディリー・アップデート・ピース）、あるいはリアルタイムに更新されるもの（ＰＰ：プログラムピース）が存在し、これらについても上記したサイトフレームワーク同様、ＵＲＬから判断し、ウェブページ構成装置は、これら各ピースを組み合わせることによってウェブページを作成する。
【００１８】
図６にサイトフレームワークの定義が示されており、ＰＣとＰＤＡ（Ｐｅｒｓｏｎａｌ・Ｄｉｇｉｔａｌ・Ａｓｓｉｓｔａｎｔｓ）のそれぞれが示されている。
図中、斜線部分は、サイトフレームワークとして自由にデザインできる部分であり、記述できるのはフレームを除くＨＴＭＬ（Ｈｙｐｅｒ・Ｔｅｘｔ・Ｍａｒｋｕｐ・Ｌａｎｇｕａｇｅ）フルセットとする。
【００１９】
図６（ａ）に示すＰＣの場合、ヘッダとフッタは縦横固定、ピースが入るエリアが縦方向についてのみ可変とする。また、ピースが配置されるエリアは、図７に示されるように固定のサイズを持つ１行１列の固定幅のテーブルで囲まれ、ボーダはないものとする。
一方、図６（ｂ）に示すＰＤＡの場合は、ヘッダとフッタは固定とし、サイドバーは割り付けられることなく、ピースが入るエリアのみそのサイズを可変とする。また、図７（ｂ）に示されるように、ピースは、画面横幅を固定、縦方向を可変とし、行の途中で終わらないように最後に改行を入れることとする（ＨＴＭＬに対する制限事項）。
【００２０】
なお、ここでは、クライアントブラウザ３が持つ「フレーム」は、使用しないこととする。すなわち、後述するように本発明は、「フレーム」を使用することなく、コンテンツ提供サーバ３で組み立てたコンテンツをまとめてクライアントブラウザ３に配信するものであり、チャネルサーバ２で既にフレームを使用して、例えば、サイドバー等が作成されていた場合にデザインがうまく反映されないことがあるためである。また、本発明によれば、フレームを用いることなくウインドウを縦横に区切ってその中にＨＴＭＬコンテンツを表示させることができ、その場合のサーバにかかる負荷が小さい。また、ＰＤＡにはフレームの機能を持たないものがあり、従ってＰＤＡに配信するときに得られる効果が大きい。
【００２１】
説明を図１に戻す。まず、ユーザが誘導元サイトにアクセスし（ａ）、誘導元サイトにおいて有償コンテンツを提供しているウェブページに移行するために有償コンテンツ提供ページへのリンクボタンをクリックすると、チャネルサーバ２が有償コンテンツ提供サイトのＵＲＬ（Ｕｎｉｆｏｒｍ・Ｒｅｓｏｕｒｃｅ・Ｌｏｃａｔｏｒ）をユーザへ送る（ｂ）。
ユーザは、そのＵＲＬを用いて有償コンテンツ提供サイト３にアクセスしてウェブページを要求することにより（ｃ）、有償コンテンツ提供サイトは、ユーザに提示するウェブページを組み合わせてユーザのクライアント端末１に送信する（ｄ）。
コンテンツ提供サーバ３は、ＵＲＬに含まれる情報と変換ＴＢＬ（テーブル）３０で保持する情報とを照らし合わせて、ユーザがどこのチャネルからアクセスしたのか、ユーザが要求しているウェブページは何か等を把握することができる。また、コンテンツ提供サーバ３は、サイトフレームワーク、レイアウト、色等のサイトパラメータ情報を各データベースに保持している。
【００２２】
クライアント端末１からのウェブページ要求は、「サイト名」＋「リクエスト名」＋「その他パラメータ」で行われる。「サイト名」は、サイトのＵＲＬ（Ｕｎｉｖｅｒｓａｌ  Ｒｅｓｏｕｒｃｅ  Ｌｏｃａｔｅｒ）により指定され、「ドメイン」名は、有償コンテンツ提供サイトのドメイン名の前に特定サイトのドメイン名が付与されたものとなる。「その他パラメータ」は、ページ生成に必要なＣＧＩ（Ｃｏｍｍｏｎ・Ｇａｔｅｗａｙ・Ｉｎｔｅｒｆａｃｅ）である。
また、サイト内のページ移動時に、「サイト名」はＣＧＩパラメータの一つとなり、引継がれる。リクエスト名は、トップページ等のページの種類を示すものであり、従来はファイル名でページを区別してきたが、本発明においては、リクエスト名でページを指定することとしている。
コンテンツ提供サーバ３は、変換テーブル３０を参照することによってデータ収集を行い、サイトフレームワーク、レイアウト、サイトパラメータのそれぞれを得、所望のウェブページを作成して要求のあったクライアント端末１へ送信する。
【００２３】
変換ＴＢＬ３０のデータフィールドの構造を図２に示す。変換ＴＢＬ３０は、誘導元サイト毎、ページの種類を示すリクエスト名とそのページの構成から成るサイト固有の情報、及びピースが割付けられるエリア（ダイナミックエリア）におけるピースの配置を示すレイアウト、サイトで定義されたカラーと実際の色との対応を示すサイトパラメータの各データフィールドから成る。
【００２４】
図３は、図１に示す自サイトサーバ３の内部構成を機能展開して示したブロック図である。
コンテンツ提供サーバ３には、本発明のウェブページ構成装置が実装され、ここでは、クライアント端末１からのウェブページ要求に基づき、データベースもしくはテキスト（ＣＳＶ：Ｃｏｍｍｏｎ・Ｓｅｐａｒａｔｅｄ・Ｖａｌｕｅ・ｆｏｒｍａｔも含む）から所定の更新されたデータを取得し、上記した変換ＴＢＬ３０に記録された情報に基づきページ生成言語（ここではＨＴＭＬ：Ｈｙｐｅｒ  Ｔｅｘｔ  Ｍａｒｋｕｐ  Ｌａｎｇｕａｇｅ）に変換してウェブページを作成し、作成されたウェブページを要求のあったクライアント端末１に提供するウェブページ構成部を中心に示されている。
【００２５】
ウェブページ構成部は、メインエンジン３２を核に、ピースメーカ３３、３４、プログラムピース（ＰＰ）生成エンジン３５、ＰＰテンプレート３６で構成される。
ピースメーカ２２（３４）は、データベースもしくはテキストからピースコンテンツを取得してＨＴＭＬに変換し、ＤＰを作成する。
一方、ＰＰ生成エンジン３５は、クライアント端末１によってアクセスされる毎にデータベースからリアルタイムに更新されたピースコンテンツを取得し、あらかじめ用意されるＰＰテンプレート３６のデザインレイアイトに従いＨＴＭＬに変換し、プログラムピース（ＰＰ）としてメインエンジン３２に供給する。
【００２６】
そして、メインエンジン部３２は、ＳＰ、並びにピースメーカ３３、３４のそれぞれによりＨＴＭＬに変換されたＤＰ、そして、ＰＰ生成エンジン３５によりＨＴＭＬに変換されたＰＰを、変換ＴＢＬ３０に記録されるピース配置が定義されたレイアウトに基づき組み合わせてダイナミックエリアに配置する機能を持つ。
なお、ここで、ＳＰとはスタティックピースの略で、ＨＥＬＰページ内のＦＡＱ、ビジネス概要、会員規約等、更新頻度が２〜３カ月以上に１回程度の殆ど更新の必要がないものをいう。また、ＤＰは、Ｗｅｅｋｌｙ  Ｓｅｌｅｃｔ、Ｎｅｗ  Ａｒｒｉｖａｌ、ランキング、各カテゴリのコンテンツ一覧画面等、更新頻度が毎日〜月１回程度定期的に更新され、比較的更新作業を要するものをいう。更に、ＰＰとは、会員登録、商品購入、問合せフォーム等、アクセス毎にリアルタイムに更新されるものをいう。
【００２７】
ウェブサーバ３１は、チャネルサーバ２との中継機能の他に、ユーザからのアクセス要求を受信し、誘導元サイトから通知される有償コンテンツ提供サイトのＵＲＬが示すサイト固有の情報からユーザが使用しているブラウザの情報を入手し、当該ブラウザ（ＰＣ／ＰＤＡ）に依存するフォームのウェブページを送信するウェブページ送信手段としての機能も併せ持つ。
【００２８】
以下、図１〜図３に示す本発明実施形態の動作ついて詳細に説明する。まず、ユーザがクライアント端末１を操作することにより、ＩＰ網４を介して接続される誘導元サイトのチャネルサーバ２にアクセスする。
次に、ユーザが誘導元サイトのコンテンツを閲覧中、有償コンテンツを提供しているウェブページに移行するために有償コンテンツ提供サイトへのリンクのボタンをクリックする。
【００２９】
このことにより、本発明のウェブページ構成装置が実装されるコンテンツ提供サーバ３を備えた有償コンテンツ提供サイトは、誘導元サイトとは別に存在するため、そのときチャネルサーバ２は、要求のあったクライアント端末１に対し、ＩＰ網４を介して有償コンテンツ提供サイトのＵＲＬを送信する。
このＵＲＬには、上記したように、サイト名（チャネル識別情報）とコンテンツ名（コンテンツ識別情報）とリクエスト名（特定の有償コンテンツにおける提供ページ識別情報）の情報が含まれる。
【００３０】
ユーザは上記したＵＲＬを用いることにより、有償コンテンツ提供サイトをアクセスすることができる。この時、ユーザが使用しているブラウザの情報が有償コンテンツ提供サイトのコンテンツ提供サーバ３に送信される。ユーザが使用しているブラウザの情報を本発明のウェブページ構成装置が認識することにより、ユーザがＰＣを使用しているのか、あるいは、ＰＤＡを使用しているのかの判断を行うことが出来る。
【００３１】
コンテンツ提供サーバ３に実装されるコンテンツ提供サーバ３は、上記したＵＲＬを用いたユーザからのアクセスを受付ける。そして、ＵＲＬのチャネル識別情報からどの誘導元サイトをソースとするアクセスなのかを判断し、また、コンテンツ識別情報から、ユーザが何のコンテンツに関わるウェブページを要求しているのかを判断する。また、リクウスト名により、特定コンテンツに関わるページの中の細かいページを判断し、そのウェブページをユーザに送信する。
ページ構成装置は、ＵＲＬに含まれるサイト名（チャネル識別情報＋コンテンツ識別情報）とリクエスト名（提供ページ識別情報）を確認した後、変換ＴＢＬ３０により、ユーザに提供するウェブページのサイトフレームワークやレイアウトやサイトパラメータを確認する。なお、サイトパラメメータによって誘導元サイト毎のウェブページの配色を把握できる。
【００３２】
ウェブページ構成構成装置は、ユーザに提供するウェブページの構成を判断した後、ＳＰ（スタティックピース）、ＤＰ（ディリー・アップデート・ピース）、ＰＰ（プログラムピース）の各ピースを把握し、それらピースの情報をデータベースから取得、または、プログラミングして生成し、ＨＴＭＬに変換する。そして、ユーザに送信する。ウェブページを構成する各ピースは更新情報の違いにより、ＳＰ、ＤＰ、ＰＰに分かれている。
また、チャネル毎の配色を用いてウェブページを提供するため、ユーザは有償コンテンツを提供するウェブページに移行しても、誘導元サイト内のウェブページを参照しているように錯覚することになる。
【００３３】
図４は、図１〜図３に示す本発明実施形態の動作を説明するために引用した図であり、具体的には、本発明のウェブページ構成プログラムの処理手順を示す。以下、図４に示すフローチャートを参照しながら、図１〜図３に示す本発明実施形態の動作について詳細に説明する。まず、クライアント端末１からウェブページ要求が発行され（Ｓ４１）、これを、ウェブサーバ３１を介して受信したメインエンジン３２は、ＵＲＬに含まれるサイト名（チャネル識別情報＋コンテンツ識別情報）とリクエスト名（提供ページ識別情報）を確認した後、変換ＴＢＬ３０により、ユーザに提供するウェブページのサイトフレームワークやレイアウトやサイトパラメータを確認する（Ｓ４２）。
そして、ＳＰの場合、あらかじめ用意されたピースを（Ｓ４３、Ｓ４４）、ＤＰの場合、ピースメーカ３３、３４で自動生成されデーベースから読み出された更新済みのピースを（Ｓ４３、Ｓ４５）、また、ＰＰの場合、ＰＰテンプレート３６を使用してＰＰ生成エンジン３５によりリアルタイムに生成されたピースの転送を受ける（Ｓ４３、Ｓ４６）。
【００３４】
更に、図４に示すフローチャートに記載はないが、本発明では、上記したピースで使用している色をサイト毎に変更する仕組みも提供している。
すなわち、同じピースであってもサイトそれぞれのフォーマットに従う色で表現できる。変更可能なものは、文字色、ＴＢＬ等の前景色、背景色とする。具体的には、文字色指定のタグでデフォルト色とサイトカラー名を指定することにより実現される。ここで、サイトカラー名と実際の色との対応は、変換ＴＢＬ３０中のサイトパラメータ内で指定されるものとする。
【００３５】
そして、上記により生成されたＳＰ、ＤＰ、ＤＰ、ＰＰのそれぞれを変換ＴＢＬ３０に記録されたピースレイアウトに基づき組み合わせてウェブページを完成させ（Ｓ４７）、要求のあったクライアントブラウザ３へ送信する（Ｓ４８）。
【００３６】
以上説明のように本発明は、有償コンテンツを提供するウェブページの開発を、更新頻度の異なるウェブページ上の範囲をピース毎に分割し、更新されるピースのみを修正することで実現し、このことにより、開発にかかる負担および運用にかかるリソースの削減をはかったものである。
なお、図３に示すメインエンジン３２、ピースメーカ３３、３４、ＰＰ生成エンジン３５、ＰＰテンプレート６のそれぞれで実行される手順をコンピュータ読み取り可能な記録媒体に記録し、この記録媒体に記録されたプログラムをコンピュータシステムに読み込ませ、実行することにより本発明のウェブページ構成装置が実現されるものとする。ここでいうコンピュータシステムとは、ＯＳや周辺機器等のハードウアを含むものである。
【００３７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３９】
以上、この発明の実施形態につき、図面を参照して詳述してきたが、具体的な構成はこの実施形態に限られるものではなく、この発明の要旨を逸脱しない範囲の設計等も含まれる。
【００４０】
【発明の効果】
以上説明のように本発明によれば、ウェブページ構成手段が、クライアントからのウェブページ要求に基づき、データベースから所定の更新されたデータを取得し、変換ＴＢＬに記録された情報に基づきページ生成言語に変換してウェブページを作成し、要求のあったクライアント端末に配信するため、日常のサイト内ページ更新の自動化が実現され、チャネル増加時のプログラム開発負荷の減少、運用コストの削減をはかることができる。
【００４１】
また、本発明によれば、メインエンジンが、各ピースメーカによりＨＴＭＬに変換された更新コンテンツを、変換ＴＢＬに記憶されるピース配置が定義されたレイアウトに基づき組み合わせ、ピースが配置されるエリアに割り付けることで、フレームの機能を必要とすることなくレイアウトが可能となり、そのためのサーバ負荷も減少する。なお、ＰＤＡにはフレームの機能が存在しないため、ＰＤＡにコンテンツを配信する際に特に顕著な効果が得られる。
【００４２】
また、本発明によれば、プログラムピース生成エンジンが、クライアント端末によってアクセスされる毎にデータベースからリアルタイムに更新されたピースコンテンツを取得し、あらかじめ用意されるテンプレートのデザインレイアイトに従いＨＴＭＬに変換するため、最新の商品データ等、リアルタイムに更新された内容をクライアントに提供できる。
【００４３】
また、本発明によれば、ウェブページ送信手段が、ウェブページ要求のあったクライアント端末に作成されたウェブページを提供する際、ＰＣ用とＰＤＡ用で異なるフォームのウェブページを配信するため、ユーザは、操作するクライアント端末の仕様に応じて最適なフォームのウェブページを閲覧することが可能になる。
【図面の簡単な説明】
【図１】本発明におけるウェブページ構成装置の接続構成、並びに概略動作を説明するために引用した図である。
【図２】本発明において使用される変換ＴＢＬのデータフィールドの構造を示す図である。
【図３】図１に示すコンテンツ提供サーバの内部構成を機能展開して示したブロック図である。
【図４】本発明実施形態の動作を説明するために引用したフローチャートである。
【図５】本発明により提供されるウェプページの構成を説明するために引用した図である。
【図６】サイトフレームワークの定義につき、ＰＣとＰＤＡを例示して示した図である。
【図７】ピースの基本構成につき、ＰＣとＰＤＡを例示して示した図である。
【符号の説明】
１…クライアント端末、２…チャネルサーバ、３…コンテンツ提供サーバ、３０…変換テーブル（ＴＢＬ）、３１…ウェブサーバ、３２…メインエンジン、３３（３４）…ピースメーカ、３５…ＰＰ（プログラムピース）生成エンジン、３６…ＰＰテンプレート
【図１】
2004151971.tif 000003
【図２】
2004151971.tif 000004
【図３】
2004151971.tif 000005
【図４】
2004151971.tif 000006
【図５】
2004151971.tif 000007
【図６】
2004151971.tif 000008
【図７】
2004151971.tif 000009